(57)【要約】      （修正有）【課題】複数のディスプレイを有効に活用し、複数の項目をリスト表示するときに、より多くの情報を提示することができる「電子システム、リスト表示方法およびリスト表示プログラム」を提供する。【解決手段】ユーザによってリスト表示操作が入力されると、項目取得部は、リスト表示指示により抽出された複数の情報をリスト表示項目として取得し、判断部は、取得したリスト表示項目の全てが、第１ディスプレイの１画面に表示可能か否かを判断する。判断部により表示不可能であると判断されると、リスト画面生成部は、項目取得部が取得したリスト表示項目を用いて、第１リスト画面を生成するとともに、第１リスト画面で表示できないリスト表示項目を用いて、第２リスト画面を生成する。そして、表示制御部は、第１リスト画面を第１ディスプレイに表示し、第２リスト画面を第２ディスプレイに表示する。【選択図】図８
2015185151.tif 000002
【特許請求の範囲】
【請求項１】
複数の表示手段を備え、複数の情報項目をリスト形式で表示する電子システムであって、
前記複数の情報項目をリスト形式で表示する第１の表示手段と、
前記電子システムを操作するための第１操作キーを表示する第２の表示手段と、
前記第１操作キーの操作または前記電子システムに予め設けた第２操作キーの操作のいずれか一方に応じて、前記複数の情報項目をリスト形式で表示するように指示する操作指示手段と、
前記操作指示手段の操作に応答して、前記第１の表示手段に前記複数の情報項目をリスト表示させるとき、前記第１の表示手段の決められた領域内に全ての前記情報項目を表示できるか否かを判断する判断手段と、
前記判断手段により、表示できないと判断された場合、前記第１の表示手段に前記情報項目をリスト表示させるとともに、前記第１の表示手段に表示できない前記情報項目を前記第２の表示手段にリスト表示させる表示制御手段と、
を有する電子システム。
【請求項２】
前記判断手段は、前記リスト表示させる対象となる情報項目の数が、前記第１の表示手段に表示されるリストの表示可能項目数を超えたか否かに基づき、前記項目数を超えたとき、表示できないと判断する、
請求項１に記載の電子システム。
【請求項３】
前記リスト表示される前記情報項目数が所定数毎に１つのページを構成され、
前記判断手段は、前記リストが複数のページで構成されるとき、表示できないと判断する、
請求項１に記載の電子システム。
【請求項４】
前記表示制御手段は、前記第１の表示手段に表示できない情報項目を前記第２の表示手段にリスト表示させるとき、前記第１操作キーの表示画面を前記リストの表示画面に切り替える、
請求項１ないし請求項３のいずれか一項に記載の電子システム。
【請求項５】
前記表示制御手段は、前記第１の表示手段に表示できない情報項目を前記第２の表示手段にリスト表示させるとき、前記第２の表示手段に表示されている第１操作キーを画面の一部の領域に表示させ、残りの領域に前記リストを表示させる、
請求項１ないし請求項３のいずれか一項に記載の電子システム。
【請求項６】
前記表示制御手段は、前記第１操作キーを画面の一部の領域に表示させるとき、前記第２の表示手段に表示されていた第１操作キーの中から選択された第１操作キーを表示させる、
請求項５に記載の電子システム。
【請求項７】
前記表示制御手段が、前記第２の表示手段に前記リストを表示させたとき、前記第２の表示手段に表示されていた前記第１操作キーの操作を、前記第２操作キーを用いて操作可能なことを案内する案内手段を、さらに有する、
請求項１ないし請求項６のいずれか一項に記載の電子システム。
【請求項８】
前記案内手段は、前記表示制御手段を制御し、前記第１または第２の表示手段に、前記操作可能なことを案内するメッセージを表示させる、
請求項７に記載の電子システム。
【請求項９】
移動中であるか否かを検出する検出手段を、さらに有し、
前記表示制御手段は、前記検出手段により移動中であることが検出されたとき、表示制御を実行する、
請求項１ないし請求項８のいずれか一項に記載の電子システム。
【請求項１０】
前記検出手段により移動中であることが検出されたとき、前記第１の表示手段に表示されている画面に基づく所定の操作を無効にする操作無効化手段を、さらに有し、
前記表示制御手段は、前記操作無効化手段により所定の操作が無効であるときに、表示制御を実行する、
請求項９に記載の電子システム。
【請求項１１】
前記電子システムの所定の操作を音声により入力可能な音声入力手段を、さらに有し、
前記操作無効化手段により、所定の操作が無効であっても、前記音声入力手段による音声操作は可能である、
請求項１０に記載の電子システム。
【請求項１２】
前記表示制御手段は、前記第１の表示手段と第２の表示手段の設置位置に基づき、上方または下方のいずれか一方あるいは左方または右方のいずれか一方に存在する前記第１または第２の表示手段から順に前記リストを表示させる、
請求項１ないし請求項１１のいずれか一項に記載の電子システム。
【請求項１３】
前記第１の表示手段および前記第２の表示手段は、車両内のセンターコンソール部分に配置されている、
請求項１ないし請求項１２のいずれか一項に記載の電子システム。
【請求項１４】
前記第１操作キーは、前記第２の表示手段に表示されるソフトウェアキーであり、前記第２操作キーは、ハードウェアキーである、
請求項１ないし請求項１３のいずれか一項に記載の電子システム。
【請求項１５】
前記表示制御手段が表示させるリストは、ナビゲーション機能の検索結果リスト、マルチメディア再生機能の楽曲リスト、マルチメディア再生機能の動画リスト、放送波受信機能のプリセット周波数リスト、放送波受信機能の受信可能局リスト、電話通信機能の電話帳リスト、音声により前記複数の機能を操作する音声コマンドリスト、前記電子システムの機能リストのうち少なくとも１つを含む、
請求項１ないし請求項１４のいずれか一項に記載の電子システム。
【請求項１６】
第１の表示手段と、第２の表示手段と、を備え、複数の情報項目をリスト形式で表示する電子システムのリスト表示方法であって、
前記電子システムを操作するための第１操作キーを表示する操作キー表示ステップと、
前記第１操作キーの操作または前記電子システムに予め設けた第２操作キーの操作のいずれか一方に応じて、複数の情報項目をリスト形式で表示するように指示する指示ステップと、
前記指示に応答して、前記第１の表示手段の決められた領域内に全ての前記情報項目を表示できるか否かを判断する判断ステップと、
前記判断結果により、表示できないと判断された場合、前記第１の表示手段に前記情報項目をリスト表示させるとともに、前記第１の表示手段に表示できない前記情報項目を前記第２の表示手段にリスト表示させる表示制御ステップと、
を有する電子システムのリスト表示方法。
【請求項１７】
前記表示制御ステップは、前記第１の表示手段に表示できない前記情報項目を前記第２の表示手段にリスト表示させるとき、前記第１操作キーの表示画面を前記リストの表示画面に切り替える、
請求項１６に記載の電子システムのリスト表示方法。
【請求項１８】
前記表示制御ステップは、前記第１の表示手段に表示できない前記情報項目を前記第２の表示手段にリスト表示させるとき、前記第１操作キーを画面の一部の領域に表示させ、残りの領域に前記リストを表示させる、
請求項１６に記載の電子システムのリスト表示方法。
【請求項１９】
前記表示制御ステップが前記第２の表示手段に前記リストを表示させたとき、前記第２の表示手段に表示されていた前記第１操作キーの操作を、前記第２操作キーを用いて操作可能なことを案内するステップを、さらに有する、
請求項１６ないし請求項１８のいずれか一項に記載の電子システムのリスト表示方法。
【請求項２０】
移動中であるか否かを検出するステップと、
移動中であることが検出されたとき、前記第１の表示手段に表示されている画面に基づく所定の操作を無効にする無効化ステップと、をさらに有し、
前記表示制御ステップは、前記無効化ステップにより前記所定の操作が無効であるときに、表示制御を実行する、
請求項１６ないし請求項１９のいずれか一項に記載の電子システムのリスト表示方法。
【請求項２１】
第１の表示手段と、第２の表示手段と、を備え、複数の情報項目をリスト形式で表示する電子システムのリスト表示プログラムであって、
前記電子システムを操作するための第１操作キーを表示する操作キー表示ステップと、
前記第１操作キーの操作または前記電子システムに予め設けた第２操作キーの操作のいずれか一方に応じて、複数の情報項目をリスト形式で表示するように指示する指示ステップと、
前記指示に応答して、前記第１の表示手段の決められた領域内に全ての前記情報項目を表示できるか否かを判断する判断ステップと、
前記判断結果により、表示できないと判断された場合、前記第１の表示手段に前記情報項目をリスト表示させるとともに、前記第１の表示手段に表示できない前記情報項目を前記第２の表示手段にリスト表示させる表示制御ステップと、
を実行する電子システムのリスト表示プログラム。
【請求項２２】
前記表示制御ステップは、前記第１の表示手段に表示できない前記情報項目を前記第２の表示手段にリスト表示させるとき、前記第１操作キーの表示画面を前記リストの表示画面に切り替える、
請求項２１に記載の電子システムのリスト表示プログラム。
【請求項２３】
前記表示制御ステップは、前記第１の表示手段に表示できない前記情報項目を前記第２の表示手段にリスト表示させるとき、前記第１操作キーを画面の一部の領域に表示させ、残りの領域に前記リストを表示させる、
請求項２１に記載の電子システムのリスト表示プログラム。
【請求項２４】
前記表示制御ステップが前記第２の表示手段に前記リストを表示させたとき、前記第２の表示手段に表示されていた前記第１操作キーの操作を、前記第２操作キーを用いて操作可能なことを案内するステップを、さらに有する、
請求項２１ないし請求項２３のいずれか一項に記載の電子システムのリスト表示プログラム。
【請求項２５】
移動中であるか否かを検出するステップと、
移動中であることが検出されたとき、前記第１の表示手段に表示されている画面に基づく所定の操作を無効にする無効化ステップと、をさらに有し、
前記表示制御ステップは、前記無効化ステップにより前記所定の操作が無効であるときに、表示制御を実行する、
請求項２１ないし請求項２４のいずれか一項に記載の電子システムのリスト表示方法。
【発明の詳細な説明】
【技術分野】
【０００１】
本発明は、複数の表示手段を備え、複数の情報項目を１つまたは複数の表示手段にリスト形式で表示する電子システムに関し、特に、そのリスト表示方法およびリスト表示プログラムに関するものである。
【背景技術】
【０００２】
近年、ナビゲーション機能やオーディオ機能、放送受信機能など各種機能を統合的に備えた電子システムが存在し、ユーザに各種情報やエンターテイメントを提供している。このような電子システムの中には複数のディスプレイを備えるものが存在し、例えば、車内の前方中央部（センターコンソール）のダッシュボード上に１つ目のディスプレイ（以下、上部ディスプレイ）を配置し、センターコンソール中央部に２つ目のディスプレイ（以下、下部ディスプレイ）を配置した２つのディスプレイを搭載した車載システムがある。このような複数のディスプレイを配置した車載システムでは、上部ディスプレイに、例えばナビゲーション機能の地図画像などの各種情報を表示し、下部ディスプレイには、オーディオ機能などを操作するための操作画面を表示している。
【０００３】
ユーザがこの種の車載システムを操作するときは、例えば、センターコンソール部分に設けたスイッチやハンドル部分に設けたステアリングリモコン、ディスプレイ表面に設けられたタッチパネルなどを用いて行う。さらに、これらの操作手段の他、車内に設けたマイクロフォンにより音声入力することも可能となっている。
【０００４】
このような複数のディスプレイを備えた電子システムとして、例えば、複数のディスプレイを備えた携帯電話機が、特許文献１および特許文献２に開示されている。
特許文献１には、１つ目のディスプレイに受信したメールの一覧を表示し、２つ目のディスプレイにはその一覧のうち選択されている１つの受信メールの詳細（送信者、宛先、本文など）が表示することができる。また、特許文献２には、１つ目のディスプレイに所定の地点リストを表示し、２つ目のディスプレイにはそのリストから選択された地点の地図画像が表示することができる。
【先行技術文献】
【特許文献】
【０００５】
【特許文献１】特開２０００−２７８３７３号公報
【特許文献２】特再公表２００３−０７７０９６号公報
【発明の概要】
【発明が解決しようとする課題】
【０００６】
従来の複数のディスプレイを備えた車載システムにおいて、様々な情報をリスト形式で表示する機能を備えている。例えば、ナビゲーション装置を動作させるとき、目的地設定を行うための施設検索の際、その検索結果をリスト表示している。同様にオーディオ装置においても、再生したい楽曲を探すための楽曲検索の際、その検索結果をリスト表示している。その他、テレビやラジオなどの放送受信装置の放送局のプリセットリストや受信可能放送リスト、電話通信機能の電話帳リストなど、様々な情報をリスト形式で表示することが可能となっている。
このようなリスト表示は、上部ディスプレイを用いて行われるが、リストの表示対象となった項目全てが上部ディスプレイの１画面に表示できない場合、所定数の項目が１ページ目に表示され、それ以外の項目は、次のページ以降に表示されることになる。もし、上部ディスプレイに表示された項目から所望の項目を探し出すことができない場合には、次のページに移行するための操作が必要となる場合があり、この場合、ユーザにとって手間が生じる。
【０００７】
例えば、ユーザが音声認識により都市名称検索した結果、図１（ａ）に示す１２件の都市名称がヒットし、上部ディスプレイに表示可能な項目数が６件であると仮定すると、上部ディスプレイには、図１（ｂ−１）に示す上位６件の都市名称が表示される。もし、上部ディスプレイに表示されたリストに所望の都市名称が存在しないならば、ユーザは、操作手段（スイッチ（ＳＷ１、ＳＷ２）やタッチパネル、音声入力）によって、次ページを表示するための操作を行わなければならない。この操作により、上部ディスプレイには、図１（ｂ−２）に示す次の６件の都市名称が表示される。一方で、上部ディスプレイがリスト表示画面になっても、下部ディスプレイは、図１（ｃ−１）や図１（ｃ−２）に示すように、オーディオ機能の操作画面が表示されたままである。
このように、従来の車載システムは、複数のディスプレイを備えているにも関わらず、その表示内容が固定的であるため、２つのディスプレイを有効的に活用しきれていないと言える。
【０００８】
そこで、本発明は、上記課題に鑑みて創作されたものであり、その目的は、複数のディスプレイを有効に活用し、複数の項目をリスト表示するときに、より多くの情報を提示することができる電子システム、リスト表示方法およびリスト表示プログラムを提供することにある。
【課題を解決するための手段】
【０００９】
本発明の電子システムは、複数の表示手段を備え、複数の情報項目をリスト形式で表示する電子システムであって、前記複数の情報項目をリスト形式で表示する第１の表示手段と、前記電子システムを操作するための第１操作キーを表示する第２の表示手段と、前記第１操作キーの操作または前記電子システムに予め設けた第２操作キーの操作のいずれか一方に応じて、前記複数の情報項目をリスト形式で表示するように指示する操作指示手段と、前記操作指示手段の操作に応答して、前記第１の表示手段に前記複数の情報項目をリスト表示させるとき、前記第１の表示手段の決められた領域内に全ての前記情報項目を表示できるか否かを判断する判断手段と、前記判断手段により、表示できないと判断された場合、前記第１の表示手段に前記情報項目をリスト表示させるとともに、前記第１の表示手段に表示できない前記情報項目を前記第２の表示手段にリスト表示させる表示制御手段と、を有する。
【００１０】
好ましくは、前記判断手段は、前記リスト表示させる対象となる情報項目の数が、前記第１の表示手段に表示されるリストの表示可能項目数を超えたか否かに基づき、前記項目数を超えたとき、表示できないと判断する。
あるいは、前記リスト表示される前記情報項目数が所定数毎に１つのページを構成され、前記判断手段は、前記リストが複数のページで構成されるとき、表示できないと判断する。
【００１１】
好ましくは、前記表示制御手段は、前記第１の表示手段に表示できない情報項目を前記第２の表示手段にリスト表示させるとき、前記第１操作キーの表示画面を前記リストの表示画面に切り替える。
このとき、前記表示制御手段は、前記第１の表示手段に表示できない情報項目を前記第２の表示手段にリスト表示させるとき、前記第２の表示手段に表示されている第１操作キーを画面の一部の領域に表示させ、残りの領域に前記リストを表示させる。
好ましくは、前記表示制御手段は、前記第１操作キーを画面の一部の領域に表示させるとき、前記第２の表示手段に表示されていた第１操作キーの中から選択された第１操作キーを表示させる。
【００１２】
さらに、前記表示制御手段が、前記第２の表示手段に前記リストを表示させたとき、前記第２の表示手段に表示されていた前記第１操作キーの操作を、前記第２操作キーを用いて操作可能なことを案内する案内手段を、有する。
好ましくは、前記案内手段は、前記表示制御手段を制御し、前記第１または第２の表示手段に、前記操作可能なことを案内するメッセージを表示させる、
請求項７に記載の電子システム。
【００１３】
さらに、移動中であるか否かを検出する検出手段を有し、前記表示制御手段は、前記検出手段により移動中であることが検出されたとき、表示制御を実行する。
また、さらに、前記検出手段により移動中であることが検出されたとき、前記第１の表示手段に表示されている画面に基づく所定の操作を無効にする操作無効化手段を有し、前記表示制御手段は、前記操作無効化手段により所定の操作が無効であるときに、表示制御を実行する。
【００１４】
さらに、前記電子システムの所定の操作を音声により入力可能な音声入力手段を有し、前記操作無効化手段により、所定の操作が無効であっても、前記音声入力手段による音声操作は可能である。
【００１５】
好ましくは、前記表示制御手段は、前記第１の表示手段と第２の表示手段の設置位置に基づき、上方または下方のいずれか一方あるいは左方または右方のいずれか一方に存在する前記第１または第２の表示手段から順に前記リストを表示させる。
また、前記第１の表示手段および前記第２の表示手段は、車両内のセンターコンソール部分に配置されており、前記第１操作キーは、前記第２の表示手段に表示されるソフトウェアキーであり、前記第２操作キーは、ハードウェアキーである。
【００１６】
そして、前記表示制御手段が表示させるリストは、ナビゲーション機能の検索結果リスト、マルチメディア再生機能の楽曲リスト、マルチメディア再生機能の動画リスト、放送波受信機能のプリセット周波数リスト、放送波受信機能の受信可能局リスト、電話通信機能の電話帳リスト、音声により前記複数の機能を操作する音声コマンドリスト、前記電子システムの機能リストのうち少なくとも１つを含む。
【００１７】
本発明の電子システムのリスト表示方法は、第１の表示手段と、第２の表示手段と、を備え、複数の情報項目をリスト形式で表示する電子システムのリスト表示方法であって、前記電子システムを操作するための第１操作キーを表示する操作キー表示ステップと、前記第１操作キーの操作または前記電子システムに予め設けた第２操作キーの操作のいずれか一方に応じて、複数の情報項目をリスト形式で表示するように指示する指示ステップと、前記指示に応答して、前記第１の表示手段の決められた領域内に全ての前記情報項目を表示できるか否かを判断する判断ステップと、前記判断結果により、表示できないと判断された場合、前記第１の表示手段に前記情報項目をリスト表示させるとともに、前記第１の表示手段に表示できない前記情報項目を前記第２の表示手段にリスト表示させる表示制御ステップと、を有する。
【００１８】
好ましくは、前記表示制御ステップは、前記第１の表示手段に表示できない前記情報項目を前記第２の表示手段にリスト表示させるとき、前記第１操作キーの表示画面を前記リストの表示画面に切り替える。
あるいは、前記表示制御ステップは、前記第１の表示手段に表示できない前記情報項目を前記第２の表示手段にリスト表示させるとき、前記第１操作キーを画面の一部の領域に表示させ、残りの領域に前記リストを表示させる。
【００１９】
さらに、前記表示制御ステップが前記第２の表示手段に前記リストを表示させたとき、前記第２の表示手段に表示されていた前記第１操作キーの操作を、前記第２操作キーを用いて操作可能なことを案内するステップを有する。
また、さらに、移動中であるか否かを検出するステップと、移動中であることが検出されたとき、前記第１の表示手段に表示されている画面に基づく所定の操作を無効にする無効化ステップと、を有し、前記表示制御ステップは、前記無効化ステップにより前記所定の操作が無効であるときに、表示制御を実行する。
【００２０】
本発明の電子システムのリスト表示プログラムは、第１の表示手段と、第２の表示手段と、を備え、複数の情報項目をリスト形式で表示する電子システムのリスト表示プログラムであって、前記電子システムを操作するための第１操作キーを表示する操作キー表示ステップと、前記第１操作キーの操作または前記電子システムに予め設けた第２操作キーの操作のいずれか一方に応じて、複数の情報項目をリスト形式で表示するように指示する指示ステップと、前記指示に応答して、前記第１の表示手段の決められた領域内に全ての前記情報項目を表示できるか否かを判断する判断ステップと、前記判断結果により、表示できないと判断された場合、前記第１の表示手段に前記情報項目をリスト表示させるとともに、前記第１の表示手段に表示できない前記情報項目を前記第２の表示手段にリスト表示させる表示制御ステップと、を有する。
【００２１】
好ましくは、前記表示制御ステップは、前記第１の表示手段に表示できない前記情報項目を前記第２の表示手段にリスト表示させるとき、前記第１操作キーの表示画面を前記リストの表示画面に切り替える。
あるいは、前記表示制御ステップは、前記第１の表示手段に表示できない前記情報項目を前記第２の表示手段にリスト表示させるとき、前記第１操作キーを画面の一部の領域に表示させ、残りの領域に前記リストを表示させる。
【００２２】
さらに、前記表示制御ステップが前記第２の表示手段に前記リストを表示させたとき、前記第２の表示手段に表示されていた前記第１操作キーの操作を、前記第２操作キーを用いて操作可能なことを案内するステップを、さらに有する。
また、さらに、移動中であるか否かを検出するステップと、移動中であることが検出されたとき、前記第１の表示手段に表示されている画面に基づく所定の操作を無効にする無効化ステップと、を有し、前記表示制御ステップは、前記無効化ステップにより前記所定の操作が無効であるときに、表示制御を実行する。
【発明の効果】
【００２３】
本発明によれば、複数の表示手段を備えた電子システムにおいて、複数の情報項目をリスト表示する際、１つの表示手段に全ての情報項目が表示できないとき、別の表示手段にその続きの情報項目を表示させることで、電子システムに備えられた複数の表示手段を有効的に活用し、ユーザにとって操作の手間を省くことができる。
【図面の簡単な説明】
【００２４】
【図１】本発明の課題を説明するための図である。
【図２】図２（ａ）は本発明の実施例に係る車載システムを車両内のコンソール部分に取り付けたときの例を示す図であり、図２（ｂ）は通常時の第１ディスプレイの表示画面例であり、図２（ｃ）は通常時の第２ディスプレイの表示画面例である。
【図３】本発明の実施例１に係る車載システムの構成例を示すブロック図である。
【図４】図４（ａ）は第１リスト画面の表示例を示し、図４（ｂ）は第２リスト画面の表示例を示す図である。
【図５】本発明の実施例１に係る車載システムの制御部により実行されるリスト表示制御の機能ブロック図である。
【図６】本発明の実施例１に係る車載システムが表示するリストの表示項目の例であり、図６（ａ）は１２件の表示項目を取得したときを示し、図６（ｂ）は６件の表示項目を取得したときの例を示す。
【図７】本発明の実施例１に係る車載システムの第１ディスプレイおよび第２ディスプレイに表示する画面の一例を示す図である。
【図８】本発明の実施例１に係る車載システムのリスト表示制御の動作フローを示す図である。
【図９】本発明の実施例１に係る車載システムの第１ディスプレイおよび第２ディスプレイに表示する画面遷移の一例を示す図である。
【図１０】本発明の実施例２に係る車載システムの制御部により実行されるリスト表示制御の機能ブロック図である。
【図１１】本発明の実施例２に係る車載システムのリスト表示制御の動作フローを示す図である。
【図１２】その他のリスト表示の一例を示しており、図１２（ａ）はラジオ周波数プリセットリスト、図１２（ｂ）はショートカットダイヤルリスト、図１２（ｃ）は音声認識コマンドリスト、図１２（ｄ）はオーディオソースリストの表示例を示す図である。
【発明を実施するための形態】
【００２５】
次に、本発明の実施の形態について、図面を参照して詳細に説明する。本発明の電子システムは、ノート型パーソナルコンピュータ、タブレット側パーソナルコンピュータ、パームトップ型コンピュータ、多機能携帯電話端末（スマートフォン）、携帯電話端末、車載システム、ナビゲーションシステムなどのうち、１つにおいて複数のディスプレイを備える装置またはシステムに実施することができ、さらに、これらの中から複数のものを組み合わせたシステムであってもよい。また、本発明の電子システムは、自動車等の移動体上に固定的に搭載されるもの、ユーザによって移動体に持ち込むことができるもの、あるいは、移動体から着脱可能なもののいずれであってもよく、さらにこれらの組合せによるシステムであってもよい。
本発明の電子システムは、ナビゲーション機能、オーディオ・ビデオデータを再生する機能を搭載するが、これ以外の機能、例えば、テレビ・ラジオ放送を受信する機能、電話通信を行う機能アプリケーションソフトウェアを実行する機能などを統合的に備えるものであってもよい。
以下の説明では、電子システムの一例として、移動体としての車両に搭載された車載システムを例にとって説明する。
【００２６】
図２は、本発明の実施例に係る車載システムが車両の車内前方中央部に取り付けられている状態を示す図である。
図２（ａ）に示すように、１つ目のディスプレイ（第１ディスプレイ）ＤＰ１が、センターコンソールＣＣ上部に取り付けられ、２つ目のディスプレイ（第２ディスプレイ）ＤＰ２が、センターコンソールＣＣ中央部に取り付けられている。通常走行時には、例えば、第１ディスプレイＤＰ１に地図画面（図２（ｂ））が表示され、第２ディスプレイＤＰ２にオーディオ機能の再生情報と各種操作コマンドキーが配置された操作画面（図２（ｃ）；通常オーディオ画面）が表示される。また、この車載システムを操作するための操作手段として、センターコンソールＣＣ部分に各種スイッチ類ＳＷ１、ハンドル部分のステアリングリモコンスイッチＳＷ２、第２ディスプレイＤＰ２にタッチパネルが取り付けられている。また、図示しないマイクロフォンにより音声による操作入力も可能である。なお、上述するこれらの取り付け位置や数などは一例であることに留意すべきである。
【００２７】
次に、図３は、本発明の実施例１に係る車載システムのシステム構成例を示すブロック図である。同図に示すように、車載システムは、ＧＰＳ受信機１０と、自律航法センサ１１と、ユーザインタフェースを構成する操作部２０と、第１ディスプレイＤＰ１に画像を表示する第１表示出力部２１と、第２ディスプレイＤＰ２に画像を表示する第２表示出力部２２と、スピーカＳＰ１から音声を出力する音声出力部２３と、外部との間でデータ通信を行うデータ通信部２４と、目的地までの経路案内などナビゲーション機能を実行するナビゲーション機能部（ＮＶ機能部）３０と、オーディオデータやビデオデータなどのコンテンツ再生などのオーディオ機能を実行するオーディオ・ビジュアル機能部（ＡＶ機能部）３１と、各種データを記憶するデータメモリ４０と、各種プログラムとアプリケーションを格納するプログラムメモリ５０と、車載システムの各部を制御する制御部６０と、各部を接続する通信バス１００と、を含んで構成される。但し、図３に示す車載システムの構成は一例であることに留意すべきである。例えば、ＮＶ機能部３０、ＡＶ機能部３１の他、テレビやラジオなどの放送受信機能を実行する放送受信機能部、音声通話などの電話通信機能を実行する電話通信機能部、など各種機能を実行する機能部を統合的に備えるものであってもよい。
【００２８】
ＧＰＳ受信機１０は、ＧＰＳ衛星から配信されるＧＰＳ信号（時刻や軌道に関する情報）を受信し、受信したＧＰＳ信号を、制御部６０に出力する。
【００２９】
自律航法センサ１１は、車両の回転角度を検出するジャイロなどの角度センサや一定走行距離毎にパルスを発生する距離センサなどにより構成され、車両の速度、各速度や自車方位などの情報を検出し、この検出信号を制御部６０に出力する。なお、これらの情報は、車両と接続するための図示しない通信バスを介して、車両に備え付けられた自律航法センサから取得するような構成であってもよい。
【００３０】
操作部２０は、車載システムにおける各種指示操作を受け付けるためのものであり、各種スイッチ類ＳＷ１、ＳＷ２、第２ディスプレイＤＰ２に取り付けられたタッチパネル、マイクロフォンなどの音声入力装置等により構成され、操作内容に応じた操作信号を制御部６０に出力する。例えば、操作部２０は、ユーザのリスト表示操作（ナビゲーション機能の目的地検索やオーディオ機能のコンテンツ検索の指示操作）を受け付け、そのリスト表示操作に応じた操作信号を制御部６０に出力する。なお、この音声入力装置は、音声認識機能を有しており、ユーザが発話して入力した音声データを解析し文字列データに変換する。また、タッチパネルは、第２ディスプレイＤＰ２だけでなく第１ディスプレイＤＰ１の表面にも取り付けられていてもよい。
【００３１】
第１表示出力部２１は、制御部６０から出力される画像データを第１ディスプレイＤＰ１に表示させる。第１ディスプレイＤＰ１には、ユーザに情報を提供するための各種画面が表示され、例えば、ナビゲーション機能の地図画面（図２（ｂ））や目的地検索結果、オーディオ機能のコンテンツ検索結果などが表示される。好ましい態様では、第１ディスプレイＤＰ１は、図２（ａ）に示すようにセンターコンソールＣＣ上部に取り付けられ、第２ディスプレイＤＰ２より上方に配置されている。
【００３２】
第２表示出力部２２は、制御部６０から出力される画像データを第２ディスプレイＤＰ２に表示させる。第２ディスプレイＤＰ２には、主に車載システムの各種操作を行うための操作コマンドキーを配置した操作画面が表示され、例えば、ナビゲーション機能に関する各種コマンドキーやオーディオ機能に関する各種コマンドキー（図２（ｃ））が少なくとも表示される。好ましい態様では、第２ディスプレイＤＰ２は、図２（ａ）に示すようにセンターコンソールＣＣ中央部に取り付けられ、第１ディスプレイＤＰ１より下方に配置されている。また、この第２ディスプレイＤＰ２の前面には操作部２０のタッチパネルが取り付けられており、このタッチパネルは、第２ディスプレイＤＰ２に表示される操作コマンドキーに対する操作指示を制御部６０に出力する。
以下の説明では、この第２ディスプレイＤＰ２には、オーディオ機能に関する各種操作コマンドキーや再生情報が配置した操作画面を表示する例を説明するが、その他の車載システムに備わる各種機能に関する各種操作コマンドキーやその情報を配置した操作画面を表示することも可能である。
【００３３】
音声出力部２３は、制御部６０から出力される音声データを、Ｄ／Ａ変換および増幅制御を行い、スピーカＳＰ１から音声を出力する。
データ通信部２４は、有線または無線により外部機器や外部装置との間でデータ通信を可能にする。例えば、データ通信部２４は、外部記憶装置との接続を可能にし、そこに記憶されたデータを読み出す。また、データ通信部２４は、外部通信機器との接続を可能にし、インターネットなどのネットワークへの接続を行う。
【００３４】
ナビゲーション機能部（以下、ＮＶ機能部）３０は、ＧＰＳ受信機１０からのＧＰＳ信号や自律航法センサ１１からの検出信号に基づき自車位置を算出する自車位置算出機能（電子システムが車載用ではないときは現在位置算出機能に相当）、所望の地点や施設を検索する目的地検索機能、目的地までの最適な経路を探索する経路探索機能、探索された経路誘導を行う誘導案内機能、自車位置周辺の地図画像や経路が描画された地図画像などを描画する地図描画機能など、車載システムの各種ナビゲーション機能を実行する。
ＮＶ機能部３０は、操作部２０からの操作信号に基づき、目的地検索指示が入力されると、目的地検索機能により、所定の条件を満たす施設や住所、行政界などの情報を、データメモリ４０の地図ＤＢから抽出し、それを制御部６０に出力する。または、データ通信部２４に接続された外部機器や外部装置の地図ＤＢから抽出するようにしてもよい。目的地検索機能には、例えば、施設名称検索、ジャンル検索、電話番号検索、目的地履歴検索、住所検索、都市名称検索、道路名称検索、交差点名称検索などがある。
例えば、ユーザが検索したい都市名称を発話すると、操作部２０による音声認識機能によって文字列データに変換され、ＮＶ機能部３０の目的地検索機能が、変換された文字列データに基づき、ユーザが発話した都市名称と一致する（または類似する）都市の情報を地図ＤＢから抽出する。
ＮＶ機能部３０が動作されるとき、制御部６０は、各種ナビゲーション機能により生成された画像データを第１表示出力部２１および／または第２表示出力部２２に出力し、また音声データを音声出力部２３に出力する。
【００３５】
オーディオ・ビジュアル機能部（以下、ＡＶ機能部）３１は、ＣＤ、ＤＶＤ、ブルーレイディスク、メモリ媒体、データメモリ４０、データ通信部２４に接続された外部機器や外部装置などに記憶されたオーディオデータやビデオデータ（コンテンツデータ）から所望のコンテンツデータを検索するコンテンツ検索機能、上述する各種記憶媒体に記憶されたコンテンツデータを再生するコンテンツ再生機能など、車載システムの各種オーディオ機能を実行する。また、ＡＶ機能部３１は、操作部２０からの操作信号に基づき、コンテンツ検索指示が入力されると、所定の条件を満たすコンテンツデータを、データメモリ４０のコンテンツＤＢから抽出し、それを制御部６０に出力する。または、データ通信部２４に接続された外部機器や外部装置のコンテンツＤＢから抽出するようにしてもよい。
【００３６】
ＡＶ機能部３１が動作されるとき、制御部６０は、各種ナビゲーション機能により生成された画像データを第１表示出力部２１および／または第２表示出力部２２に出力し、また音声データを音声出力部２３に出力する。
【００３７】
データメモリ４０は、ＨＤＤ（Ｈａｒｄ  Ｄｉｓｃ  Ｄｒｉｖｅ）、フラッシュメモリなどの記憶装置であり、地図データを格納する地図データベース（地図ＤＢ）、オーディオデータやビデオデータなどを格納するコンテンツデータベース（コンテンツＤＢ）などを記憶する。
プログラムメモリ５０は、制御部６０が実行する各種アプリケーションやプログラムデータを格納する。
【００３８】
制御部６０は、中央処理装置、マイクロコンピュータ、またはマイクロプロセッサなどの装置を含み、プログラムメモリ５０に記憶されたプログラムを実行し、車載システムの各部を制御する。
例えば、制御部６０は、プログラムメモリ５０に記憶されたプログラムを実行し、車載システムのリスト表示制御を行う。そして、このリスト表示制御により、制御部６０は、例えば、図４（ａ）のような第１リスト画面および図４（ｂ）のような第２リスト画面を生成し、第１リスト画面を第１表示出力部２１に、第２リスト画面を第２表示出力部２２に出力する。この図４（ａ）に示す第１リスト画面は、領域ＡＲ１に所定のリストが表示されている。また、図４（ｂ）に示す第２リスト画面は、領域ＡＲ２に第１リスト画面の領域ＡＲ１に表示できなかったリストの項目が表示されるとともに、別の領域ＡＲ３に現在再生中の楽曲名（ＴＲ１）、楽曲のトラックダウンやトラックアップ操作を行うことができる操作コマンドキー（ＣＫ１）などが表示されている。このリスト表示制御方法についての詳細は後述する。
【００３９】
本実施例１の車載システムのリスト表示制御方法に関する機能的な構成ブロック図を、図５に示す。同図に示すように、項目取得部６０１と、判断部６０２と、リスト画面生成部６０３と、表示制御部６０４と、を含んで構成される。好ましい態様では、図５に示すようなリスト表示制御方法に関する機能は、制御部６０がプログラムまたはアプリケーションを実行することにより実施される。
【００４０】
項目取得部６０１は、ユーザのリスト表示操作に応答して、ＮＶ機能部３０やＡＶ機能部３１が情報を検索したときに抽出された情報をリストの表示項目として取得する。
具体的には、ユーザが目的地検索を行うため、操作部２０を用いて、目的地検索のリスト表示操作を行うと、ＮＶ機能部３０は、そのリスト表示操作の際に入力された条件を満たす複数の目的地候補（地点や施設）を抽出し、項目取得部６０１は、抽出された複数の目的地候補をリストの表示項目として取得する。その他、ユーザがコンテンツ検索を行うため、操作部２０を用いて、コンテンツ検索のリスト表示操作を行うと、ＡＶ機能部３１は、そのリスト表示操作の際に入力された条件を満たす複数のコンテンツ情報を抽出し、項目取得部６０１は、抽出された複数のコンテンツ情報をリストの表示項目として取得することもできる。
例えば、ユーザが操作部２０を用いて音声入力にて任意の都市名称を発話し、都市名称検索すると、操作部２０は、入力された音声データを音声認識機能により文字列データに変換し、ＮＶ機能部３０は、発話された都市名称（文字列データ）と一致する（または類似する）都市名称の情報を地図ＤＢから抽出する。そして、項目取得部６０１は、抽出された複数の都市名称情報をリストの表示項目として取得する。
なお、音声入力による検索では、必ず所定数の情報を抽出することも可能である。
【００４１】
判断部６０２は、項目取得部６０１が取得したリストの表示項目の全てを第１ディスプレイＤＰ１の１画面の所定の領域内に表示可能か否かを判断する。具体的には、判断部６０２は、項目取得部６０１が取得したリストの表示項目数が、第１ディスプレイＤＰ１の１画面の領域内（図４（ａ）のＡＲ１）にリスト表示可能な項目数を超えているか否かを判断し、超えている場合、全てを表示できない（表示不可能）と判断し、一方、超えていない場合、全てを表示できる（表示可能）と判断する。例えば、判断部６０２は、図４（ａ）に示すように第１ディスプレイＤＰ１の１画面の所定の領域ＡＲ１内のリスト表示可能な項目数が６件としたとき、項目取得部６０１によって図６（ａ）に示す１２件のリストの表示項目が取得されたならば、判断部６０２は、表示可能項目数を超えていると判断し、全てを表示不可能と判断する。また、項目取得部６０１が図６（ｂ）に示す６件のリストの表示項目数を取得した場合には、判断部６０２は、表示可能項目数を超えていないと判断し、全てを表示可能と判断する。
【００４２】
また、判断部６０２は、第１ディスプレイＤＰ１の１画面の所定の領域内に表示可能な予め決められた項目数を１ページとして、項目取得部６０１が取得したリストの表示項目が複数ページにより構成される場合、表示不可能と判断し、一方、１ページ（単一ページ）により構成される場合、表示可能と判断するようにしてもよい。例えば、判断部６０２は、図４（ａ）に示すように第１ディスプレイＤＰ１の１画面の所定の領域内にリスト表示可能な項目数を６件とすると、項目取得部６０１が図６（ａ）に示す１２件のリストの表示項目を取得した場合、「ＴＯＲＲＡＮＣＥ」から「ＬＡＷＲＥＮＣＥ」までの６件を１ページ目、次の「ＴＯＬＬＨＯＵＳＥ」から「ＤＥ  ＬＵＺ」までの６件を２ページ目とした複数ページで構成されるため、表示不可能と判断する。また、項目取得部６０１が図６（ｂ）に示す６件のリスト表示項目を取得した場合、「ＴＯＲＲＡＮＣＥ」から「ＬＡＷＲＥＮＣＥ」までの全てを１ページのみで構成されるため、表示可能と判断する。
【００４３】
リスト画面生成部６０３は、判断部６０２による判断の結果、表示不可能と判断した場合、項目取得部６０１が取得したリストの表示項目を用いて、第１ディスプレイＤＰ１に表示するリスト画面（第１リスト画面）を生成するとともに、第１ディスプレイＤＰ１に表示できなかったリスト表示項目を用いて、第２ディスプレイＤＰ２に表示するリスト画面（第２リスト画面）を生成する。一方、リスト画面生成部６０３は、判断部６０２による判断の結果、表示可能と判断した場合、項目取得部６０１が取得したリストの表示項目を用いて、第１ディスプレイＤＰ１に表示するリスト画面（第１リスト画面）のみを生成する。
【００４４】
例えば、項目取得部６０１により図６（ａ）に示す１２件のリスト表示項目が取得されたとき、判断部６０２により表示不可能と判断されるため、リスト画面生成部６０３は、第１ディスプレイＤＰ１に表示する図７（ａ）に示す第１リスト画面を生成するとともに、第２ディスプレイＤＰ２に表示する図７（ｂ）に示す第２リスト画面を生成する。一方、項目取得部６０１により図６（ｂ）に示す６件のリスト表示項目が取得されたとき、判断部６０２により表示可能と判断されるため、リスト画面生成部６０３は、第１ディスプレイＤＰ１に表示する図７（ｃ）に示す第１リスト画面のみを生成する。
【００４５】
もし、第２ディスプレイＤＰ２を用いても、項目取得部６０１が取得したリストの表示項目を全て表示できなかった場合、リスト画面生成部６０３は、ユーザからの次ページ表示操作に応答し、その続きの項目から第１リスト画面および／または第２リスト画面を生成する。
【００４６】
表示制御部６０４は、制御部６０が生成する各種画像データ（画面データ）を第１ディスプレイＤＰ１または第２ディスプレイＤＰ２のどちらに表示させるか制御し、第１ディスプレイＤＰ１に表示させる画面（例えば、第１リスト画面）を第１表示出力部２１に、第２ディスプレイＤＰ２に表示させる画面（例えば、第２リスト画面）を第２表示出力部２２に出力する。好ましい態様では、表示制御部６０４は、リスト画面生成部６０３によって第２リスト画面が生成されたとき、第２表示出力部６０３に表示されている画面を第２リスト画面に切り替えさせ、あるいは割り込み表示させる。
例えば、表示制御部６０４は、リスト画面生成部６０３が生成した第１リスト画面を第１表示出力部２１に出力し、第１表示出力部２１は第１リスト画面を第１ディスプレイＤＰ１に表示させる。また、表示制御部６０４は、リスト画面生成部６０３が生成した第２リスト画面を第２表示出力部２２に出力し、第２表示出力部２２は第２リスト画面を第２ディスプレイＤＰ２に表示させる。
【００４７】
このとき、表示制御部６０４は、第２表示出力部２２に第２リスト画面を出力する際、これまで表示されていた操作コマンドキーの一部の表示を制限するため、その制限された操作または全ての操作を他のスイッチ（例えばステアリングリモコンＳＷ２）で代替操作可能なことを示すメッセージを、第１ディスプレイＤＰ１または第２ディスプレイＤＰ２の少なくとも一方に表示させるように制御してもよい。また、制御部６０により音声を用いて代替操作可能なことを案内することも可能である。例えば、第２リスト画面に表示される楽曲名称の表示欄に上述する代替操作可能なことを示すメッセージを表示することができる。
【００４８】
次に、上記のように構成された実施例１に係る車載システムのリスト表示制御の動作を、図８を参照して説明する。
ユーザが、操作部２０を用いて、リスト表示させる所定のリスト表示操作（例えば、目的地検索やコンテンツ検索などの操作）を行うと（ステップＳ１０１）、ＮＶ機能部３０やＡＶ機能部３１が操作指示に応じた情報をデータメモリ４０から抽出する。そして、項目取得部６０１は、ＮＶ機能部３０またはＡＶ機能部３１が抽出した複数の情報をリストの表示項目として取得する（ステップＳ１０３）。
続いて、判断部６０２は、項目取得部６０１が取得したリストの表示項目の全てを第１ディスプレイＤＰ１の１画面の所定の領域に表示可能か不可能かを判断する（ステップＳ１０５）。
【００４９】
判断部６０２により表示可能であると判断されると、リスト画面生成部６０３は、項目取得部６０１が取得したリストの表示項目を用いて、第１ディスプレイＤＰ１に表示させる第１リスト画面を生成する（ステップＳ１０７）。
そして、表示制御部６０４は、リスト画面生成部６０３が生成した第１リスト画面を第１表示出力部２１に出力し、第１表示出力部２１が第１リスト画面を第１ディスプレイＤＰ１に表示させる（ステップＳ１０９）。このとき、第２ディスプレイＤＰ２は、これまでの通常オーディオ画面（図２（ｃ））が表示されたままである。
【００５０】
一方、判断部６０２により表示不可能であると判断されると、リスト画面生成部６０３は、項目取得部６０１が取得したリストの表示項目を用いて、第１ディスプレイＤＰ１に表示させる第１リスト画面を生成する（ステップＳ１１１）。その後、リスト画面生成部６０３は、第１リスト画面に表示できなかったリストの表示項目を用いて、第２ディスプレイＤＰ２に表示させる第２リスト画面を生成する（ステップＳ１１３）。
【００５１】
表示制御部６０４は、リスト画面生成部６０３が生成した第１リスト画面を第１表示出力部２１に出力し、第２リスト画面を第２表示出力部２２に出力する。そして、第１表示出力部２１は、第１リスト画面を第１ディスプレイＤＰ１に表示させ、第２表示出力部２２は、第２ディスプレイＤＰ２にこれまで表示していた通常オーディオ画面（図２（ｃ））から切り替えて、第２リスト画面を第２ディスプレイＤＰ２に表示させる（ステップＳ１１５）。
【００５２】
具体的なリスト画面の表示例を、図９を参照して説明する。
車載システムは、通常走行時、第１ディスプレイＤＰ１には、ＮＶ機能部３０により生成された自車位置周辺の地図画像（図９（ａ））が表示され、一方、第２ディスプレイＤＰ２には、ＡＶ機能部３１により生成された再生中の楽曲に対する情報（楽曲名）やトラックアップ、トラックダウンの操作コマンドキー、また音量などが配置された通常オーディオ画面（図９（ｂ））が表示されている。
【００５３】
このような状況において、ユーザが例えば所望の地点を目的地に設定するため、例えば、ある都市名称を発話して、音声入力にて目的地検索（都市名称検索）を行うと、ＮＶ機能部３０は、操作部２０の音声認識機能により文字列データに変換された都市名称と一致するまたは類似する都市名称をデータメモリ４０の地図ＤＢから抽出する。そして、項目取得部６０１は、ＮＶ機能部３０が抽出した図６（ａ）に示す１２件の都市名称をリストの表示項目として取得する。続いて、判断部６０２が、取得した都市名称の全て第１ディスプレイＤＰ１に表示可能か不可能かを判断する。判断部６０２は、第１ディスプレイＤＰ１に表示可能な項目数が６件に対して、項目取得部６０１が取得した項目数が１２件であるため、取得した項目の全てを１画面で表示不可能であると判断し、その結果をリスト画面生成部６０３に提供する。
【００５４】
リスト画面生成部６０３は、提供された判断結果が表示不可能であったため、図６（ａ）に示す１２件の都市名称のうち上位６件（「ＴＯＲＲＡＮＣＥ」から「ＬＡＷＲＥＮＣＥ」まで）を用いて、図９（ｃ）に示す第１リスト画面を生成する。リスト画面生成部６０３はさらに、第１リスト画面に表示できなかった次の６件（「ＴＯＬＬＨＯＵＳＥ」から「ＤＥ  ＬＵＺ」まで）を用いて、図９（ｄ）に示す第２リスト画面を生成する。
リスト画面生成部６０３は、この第２リスト画面を生成するとき、図９（ｂ）に示す各種コマンドキーや楽曲情報などの全部または一部を、第２リスト画面のリスト表示に用いられていない領域、例えば、リスト表示の周辺部などの所定の領域ＡＲ４に配置させる。リスト画面生成部６０３は、生成した第１リスト画面と第２リスト画面を表示制御部６０４に提供し、表示制御部６０４は、第１リスト画面を第１表示出力部２１に出力し、第２リスト画面を第２表示出力部２２に出力する。
【００５５】
そして、第１表示出力部２１は、第１リスト画面を第１ディスプレイＤＰ１に表示し、第２表示出力部２２は、図９（ｂ）に表示する通常オーディオ画面から図９（ｄ）に示す第２リスト画面に切り替えて第２ディスプレイＤＰ２に表示する。
ユーザは、第１ディスプレイＤＰ１に表示された第１リスト画面および第２ディスプレイＤＰ２に表示された第２リスト画面を見て、所望の都市名称を探すことができ、操作部２０を用いて、その都市名称を選択する。目的地が設定されると、ＮＶ機能部３０がその地点までの経路を探索し、図９（ｅ）に示す経路が描画された経路地図画像を第１ディスプレイＤＰ１に表示する。それと同時にＡＶ機能部３０が、図９（ｂ）と同じ通常オーディオ画面（図９（ｆ））を第２ディスプレイに表示する。
【００５６】
このようにすることで、本実施例１の車載システムによれば、複数の情報項目をリスト表示する際、１つのディスプレイに全てのリスト項目が表示可能か不可能かを判断し、表示不可能なとき、もう１つのディスプレイに１つ目のディスプレイに表示できなかった続きのリスト項目を表示させるようにしたため、車載システムに備えられた複数のディスプレイを有効的に活用し、ユーザにとって操作の手間を省くことができる。
【００５７】
上述する実施例１では、リスト表示の例として、音声認識による都市名称検索の検索結果リストの表示を例に説明したが、これに限らず、音声認識による操作ではなく、操作部２０のスイッチ類（図２（ａ）のＳＷ１やＳＷ２）や第１ディスプレイＤＰ１または第２ディスプレイＤＰ２の表面のタッチパネルなどを用いて操作することの可能である。また、都市名称検索の検索結果リストの表示だけでなく、施設名称検索、電話番号検索、ジャンル検索などの各種目的地検索の検索結果リストの表示においても適用可能であり、またオーディオ機能におけるコンテンツ検索の検索結果リストの表示においても適用可能である。
【００５８】
さらに、上述する実施例１に係る車載システムに操作無効化手段を設けて、この操作無効化手段により、一部の操作が無効化にされているときにのみ、上述するリスト表示制御を行うようにすることも可能である。このときの実施例２に係る車載システムを説明する。
本発明の実施例２に係る車載システムは、図３に示す実施例１に係る車載システムと同じ構成であるため、同じ符号番号を付してその説明を省略する。
実施例２の車載システムのリスト表示制御方法に関する機能的な構成ブロック図を、図１０に示す。同図に示すように、移動検出部６２１、操作無効化部６２２と、項目取得部６２３と、判断部６２４と、リスト画面生成部６２５と、表示制御部６２６と、を含んで構成される。好まし態様では、図１０に示すようなリスト表示制御方法に関する機能は、制御部６０がプログラムまたはアプリケーションを実行することにより実施される。
【００５９】
移動検出部６２１は、ＧＰＳ受信機１０からのＧＰＳ信号や自律航法センサ１１からの検出信号に基づき、自車位置が移動しているか否かを検出する。具体的には、移動検出部６２１は、これらＧＰＳ信号や検出信号を所定間隔毎に監視し、この信号（値）に変化があった場合、移動中であることを検出する。
【００６０】
操作無効化部６２２は、移動検出部６２１により移動中であると検出されるとき、操作部２０から入力される各種操作指示の一部を無効にする（操作制限をかける）。具体的には、操作無効化部６２２は、ユーザが操作部２０を用いて操作を行うと、その操作指示が所定の制限操作に該当するか否かを判断し、所定の制限操作に該当するとき、その操作指示の実行を行わない。このとき、第１ディスプレイＤＰ１または第２ディスプレイＤＰ２の少なくともいずれか一方に、操作が無効である旨のメッセージを表示させるようにしてもよい。
【００６１】
例えば、操作無効化部６２２は、目的地設定操作や目的地検索操作、コンテンツ検索操作など煩雑な操作が必要な操作を無効にし、トラックアップ操作やトラックダウン操作などの単純な操作を無効にしない。ただし、操作無効化部６２２は、音声入力による各種操作についてはその操作全てを無効にしない。つまり、操作無効化部６２２は、音声入力によって目的地検索操作やコンテンツ検索操作が入力されたときには、移動中であっても、その操作を無効にしない（有効にする）。
【００６２】
項目取得部６２３は、ユーザのリスト表示操作に応答して、ＮＶ機能部３０やＡＶ機能部３１にリスト表示操作に応じた情報の抽出を実行させ、ＮＶ機能部３０やＡＶ機能部３１が抽出した情報をリストの表示項目として取得する。ただし、項目取得部６２３は、操作無効化部６２２によりリスト表示操作が無効になっているとき（つまり、移動中であり、かつスイッチ類またはタッチパネル操作によりリスト表示操作を行ったとき）には、リストの表示項目の取得処理は実行しない。項目取得部６２３が行うリストの表示項目の取得処理は、実施例１の項目情報取得部６０２と同じため、その説明を省略する。
【００６３】
判断部６２４は、操作無効化部６２２が一部の操作を無効にしている場合に、項目取得部６２３がリストの表示項目の取得を行うと、取得されたリストの表示項目の全てを第１ディスプレイＤＰ１の１画面の所定の領域内に表示可能か否かを判断する。判断部６２４が行う表示可能か不可能かの判断は、実施例１における判断部６０２に同じためその説明を省略する。
一方、判断部６２４は、操作無効化部６２２が一部の操作を無効にしていない場合、表示可能か不可能かの判断は行わない。
【００６４】
リスト画面生成部６２５は、操作無効化部６２２が一部の操作を無効にしている場合に、判断部６２４から表示可能か不可能かの判断結果が提供されると、これに基づき、第１リスト画面および／または第２リスト画面を生成する。リスト画面生成部６２５が行う第１リスト画面および／または第２リスト画面の生成処理は、実施例１におけるリスト画面生成部６０３と同じためその説明を省略する。
一方、リスト画面生成部６２５は、操作無効化部６２２が一部の操作を無効にしていない場合は、判断部６２４から表示可能か不可能かの判断結果が提供されないため、項目取得部６２３から提供されるリストの表示項目を用いて第１リスト画面のみを生成する。
【００６５】
表示制御部６２６は、実施例１における表示制御部６０４と同じ処理を行い、リスト画面生成部６２５が生成した第１リスト画面を第１表示出力部２１に出力し、第２リスト画面を第２表示出力部２２に出力する。
【００６６】
次に、上記のように構成された実施例２に係る車載システムのリスト表示制御の動作を、図１１を参照して説明する。
ユーザが、操作部２０を用いて、リスト表示させる所定のリスト表示操作（例えば、目的地検索やコンテンツ検索などの操作）を行うと（ステップＳ２０１）、移動検出部６２１は、車両が移動中であるか否かを検出する（ステップＳ２０３）。その検出結果、移動中であることが検出されると、制御部６０は、リスト表示操作の入力方法が音声入力であるかそれ以外の方法（スイッチ操作やタッチパネル操作など）であるかを確認する（ステップＳ２０５）。
【００６７】
制御部６０は、ステップＳ２０５で音声入力によりリスト表示操作が入力されたと判断した場合、実施例１のステップＳ１０３からステップＳ１１５までのリスト表示制御を実行する（ステップＳ２０７）。一方、音声入力以外の方法でリスト表示操作が入力されたと判断した場合、操作無効化部６２２によって、このリスト表示操作を無効にする（ステップＳ２０９）。そのため、第１ディスプレイＤＰ１および第２ディスプレイＤＰ２の表示画面は変わらない。
【００６８】
ステップＳ２０３に戻り、移動検出部６２１によって、移動中ではない（停止中である）ことが検出されると、ＮＶ機能部３０やＡＶ機能部３１が操作指示に応じた情報をデータメモリ４０から抽出する。そして項目取得部６２３は、ＮＶ機能部３０またはＡＶ機能部３１３が抽出した複数の情報をリストの表示項目として取得する（ステップＳ２１１）
リスト画面生成部６２５は、項目取得部６２３が取得したリストの表示項目を用いて、第１リスト画面を生成する。このとき、リスト画面生成部６２５は、第２リスト画面の生成は行わない。つまり、制御部６０は、実施例１のリスト表示制御を行わない。表示制御部６２６は、リスト画面生成部６２５が生成した第１リスト画面を第１表示出力部２１に出力し、第１表示出力部２１がこの第１リスト画面を第１ディスプレイＤＰ１に表示させる（ステップＳ２１３）。
【００６９】
このようにすることで、本実施例２の車載システムによれば、操作制限がかかっていないとき、つまり移動中でないときは、ゆっくり操作できるため、従来のリスト表示制御を行い、一方、操作制限がかかっているとき、つまり移動中のときは、できる限り操作手順を少なくする必要があるため、本発明に係るリスト表示制御を行う、移動中のユーザの手間を省くことができる。
【００７０】
上述する実施例２では、移動検出部６２１により移動中であることが検出され、操作無効化部６２２によりスイッチ類やタッチパネルを用いた操作が無効になっており、かつ、音声入力によるリスト表示操作を実行された場合に、リスト表示制御を実行する例を説明したが、単純に移動検出部６２１により移動中である場合に、リスト表示制御を実行するようにすることも可能である。
【００７１】
また、上述する実施例１および実施例２に記載されるＮＶ機能部３０が実行するナビゲーション機能やＡＶ機能部３１が実行するオーディオ機能以外の機能におけるリスト表示にも適用可能である。例えば、通信バス１００にテレビやラジオなどの放送波を受信する放送受信機能部を接続し、この放送受信機能部の放送受信機能に用いられるチャンネルプリセット（周波数プリセット）のリスト表示（図１２（ａ））や受信可能局リストのリスト表示などにおいても適用可能である。また、通信バス１００に電話通信機能部を接続し、この電話通信機能部の電話通信機能に用いられる電話帳リストのリスト表示やショートカットダイヤルのリスト表示（図１２（ｂ））においても可能である。これらのチャンネルプリセットや受信可能局の情報、電話帳やショートカットダイヤルの情報はデータメモリ４０に記憶しても、各機能部に備えられたメモリに記憶しておいてもよい。
その他、車載システムの音声認識機能により認識可能な音声認識コマンドリストの表示（図１２（ｃ））や車載システムが提供することができる全機能のリストの表示、車載システムのオーディオソースリストの表示（図１２（ｄ））など、リスト表示される全てのものに適用することが可能である。
【００７２】
さらに、上述する実施例１および実施例２は、２つのディスプレイを備えた車載システムを例に説明したが、３つ以上のディスプレイを備えた車載システムにも適用することができる。例えば３つの場合、通常リスト表示させる１つ目のディスプレイに全てのリスト項目が表示できない場合、２つ目のディスプレイにその続きのリスト項目を表示する。さらに、２つ目のディスプレイに表示させたとしても、全てのリスト項目が表示されない場合、３つ目のディスプレイに２つ目のディスプレイを用いても表示できなかったリスト項目を表示させるようにする。このようにすることで、車両に備えられた全てのディスプレイを有効に活用することができる。ただし、運転手から見えないディスプレイについては、その表示制御を行わないようにする。
【００７３】
また、上述する実施例１および実施例２では、第１ディスプレイＤＰ１が第２ディスプレイＤＰ２より上方に取り付けられている例を説明したが、例えば、第２ディスプレイＤＰ２が第１ディスプレイＤＰ１より上方に取り付けられている場合には、第２ディスプレイＤＰ２に第１リスト画面を表示させ、第１ディスプレイＤＰ１に第２リスト画面を表示させるようにすることもできる。このようにすることで、上方から下方に向けてリストが表示されるため、ユーザが確認し易くできる。さらに、第１ディスプレイＤＰ１と第２ディスプレイが上下に取り付けられているのではなく、左右に取り付けられている場合、２つのディスプレイを比較し左方または右方のいずれか一方の方向からリストを表示するようにすることもできる。さらに、第１または第２ディスプレイは、着脱式であってもよい。
【００７４】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００７５】
１０  ＧＰＳ受信機                          １１  自律航法センサ
２０  操作部                                ２１  第１出力制御部
２２  第２出力制御部                        ２３  音声出力部
２４  データ通信部                          ３０  ナビゲーション機能部
３１  オーディオ・ビジュアル機能部          ４０  データメモリ
５０  プログラムメモリ                      ６０  制御部
１００  通信バス
６０１  項目取得部                          ６０２  判断部
６０３  リスト画面生成部                    ６０４  表示制御部
ＤＰ１  第１ディスプレイ                    ＤＰ２  第２ディスプレイ
ＳＷ１、ＳＷ２  各種スイッチ                ＣＣ  センターコンソール部分
ＡＲ１、ＡＲ２  リスト表示領域
【図１】
2015185151.tif 000003
【図２】
2015185151.tif 000004
【図３】
2015185151.tif 000005
【図４】
2015185151.tif 000006
【図５】
2015185151.tif 000007
【図６】
2015185151.tif 000008
【図７】
2015185151.tif 000009
【図８】
2015185151.tif 000010
【図９】
2015185151.tif 000011
【図１０】
2015185151.tif 000012
【図１１】
2015185151.tif 000013
【図１２】
2015185151.tif 000014